(57)【要約】【課題】健全かつ効率的なパチンコ遊技場における景品交換装置を提供する。【解決手段】パチンコホール景品交換システムは、景品に関する情報を格納するデータベースと、通信網を介して景品の注文を受け付け、注文を受けた景品に関する景品注文データを出力し、景品の販売を管理する管理サーバ４０と、パチンコホールＨに設置され、通信網を介して前記管理サーバより提供される景品情報に含まれる景品を注文するための情報入力手段と、該情報入力手段により入力した景品に関する情報を記録した注文済目録カードを発行する目録発行手段備えたホール端末２０とからなる。客がホールで注文して得た注文済目録カードｔは換場業者Ｅにおいて換金できる。【選択図】図３
0003103383.tif 000002
【実用新案登録請求の範囲】
【請求項１】
景品に関する情報を格納するデータベースと、通信網を介して景品の注文を受け付け、注文を受けた景品に関する景品注文データを出力し、景品の販売を管理するサーバと、パチンコホールに設置され、通信網を介して前記サーバより提供される景品情報に含まれる景品を注文するための情報入力手段と、該情報入力手段により入力して注文した景品及び注文に関する情報を記録した注文済目録を発行する目録発行手段と注文された景品の品目と個数を記録した注文明細レシートを発行する注文明細レシート発行手段とを備えたホール端末と、からなるパチンコホール景品交換装置。
【請求項２】
通信網を介して注文を受け商品を販売する電子商取引サイトと、パチンコホールに設置され、前記電子商取引サイトに通信網を介して接続して前記電子商取引サイトが提供する商品を景品として注文する入力手段と、注文した景品に関する情報を記録した注文済目録カードを発行する注文済目録発行手段と注文された景品の品目と個数を記録した注文明細レシートを発行する注文明細レシート発行手段とを備えたホール端末と、からなるパチンコホール景品交換装置。
【請求項３】
パチンコホールにおいて客が獲得した玉の玉数に見合う注文可能な景品を示す景品注文画面を表示する手段と、上記景品注文画面に示された景品の中から上記客が注文した景品に関する情報を記録した注文済目録を発行する目録発行機とを備えたホール端末と、
上記目録発行機により発行された注文済目録に記録されたデータを読取る手段と、上記客が注文した景品の景品注文データを上記ホール端末から受信して、上記客が注文した景品に対応する金額を表示する手段とを備えた換場業者端末、のそれぞれと通信網を介して接続したサーバであって、
上記景品注文画面に示される景品に関する情報を格納するデータベースと、
上記データベースに格納された景品に関する情報を上記ホール端末に送信する手段と、
上記客が注文した景品の景品注文データを上記ホール端末から受信する手段と、
上記注文済目録に記録されたデータを上記換場業者端末から受信する手段と、
上記ホールの端末から受信した景品注文データと、上記換場業者端末から受信した注文目録に記録されたデータとを照合する手段と、
上記ホール端末から受信した景品注文データに対応する景品卸しデータを上記ホール端末に送信する手段と、
を有してなることを特徴とするパチンコホールで得た景品の管理サーバ。
【請求項４】
パチンコホールにおいて客が獲得した玉の玉数に見合う注文可能な景品を示す景品注文画面を表示する手段と、上記景品注文画面に示された景品の中から上記客が注文した景品に関する情報を記録した注文済目録を発行する目録発行機とを備えたホール端末と、
上記目録発行機により発行された注文済目録に記録されたデータを読取る手段と、上記客が注文した景品の景品注文データを上記ホール端末から受信して、上記客が注文した景品に対応する金額を表示する手段とを備えた換場業者端末と、
上記客が注文した景品の景品注文データを上記ホール端末から受信して、当該受信した景品注文データに対応する景品卸しデータを当該ホール端末に送信する手段を備えた景品業者端末、のそれぞれと通信網を介して接続したサーバであって、
上記景品注文画面に示される景品に関する情報を格納するデータベースと、
上記データベースに格納された景品に関する情報を上記ホール端末に送信する手段と、
上記客が注文した景品の景品注文データを上記ホール端末から受信する手段と、
上記注文済目録に記録されたデータを上記換場業者端末から受信する手段と、
上記ホールの端末から受信した景品注文データと、上記換場業者端末から受信した注文目録に記録されたデータとを照合する手段と、
上記ホール端末から受信した景品注文データに対応する景品卸しデータを上記景品業者端末に送信する手段と、
を有してなることを特徴とするパチンコホールで得た景品の管理サーバ。
【考案の詳細な説明】
【技術分野】
【０００１】
本考案はパチンコ・パチスロホールにおける景品交換装置と景品管理サーバに関する。なお、パチンコ・パチスロホールは、パチンコ又はパチスロの専門店あるいは両者の併設店を含み、以下、総称して「パチンコホール」という。また、パチンコ、パチスロを総称して、「パチンコ」という。そして、パチンコで扱う小物体としての小球及びパチスロで扱うコイン、メダルを総称して「玉」という。
【背景技術】
【０００２】
わが国おいて、パチンコは長期にわたり大衆娯楽として定着してきている。そして、パチンコの機械や装置は時代の変化とともに絶えず、改良や革新技術の導入といった変革が加えられ、時代に則した遊技者のニーズを捉える努力も続けられており、常に大衆娯楽としての首位の地位を揺るぎないものとしている。パチンコは、遊技場で料金を支払って借りた玉（貸玉）を使用してパチンコ機械により楽しむものであるが、遊技を通じてパチンコが遊技者を熱中させるものは、遊技自体の楽しみの外に、遊技の結果得た貸玉に見合う景品を獲得することができることにある。
【０００３】
ところで、パチンコが健全な娯楽として存続するため、わが国では、遊技場経営は、「風俗営業等の規制及び業務の適正化等に関する法律」の規制を受けており、遊技場営業者の禁止行為として前記法律第２３条第１項第１号に、「現金又は有価証券を賞品として提供すること」、また、同２号に「客に提供した賞品を買取ること」をしてはならないことが明記されている。したがって、遊技者が遊技場で獲得した玉は遊技場では景品と交換して持ち帰ることとなっており、景品を現金や有価証券などに替えることはできない。しかしながら、遊技場に置くことのできる交換可能な景品の種類は自ずと限られており、景品のみでは遊技者の要望を必ずしも満たすことはできない。そこで、現在においては、パチンコ遊技場とは別経営の景品を買い取って現金と交換してくれる業者（換場）が存在し、遊技で得た景品をそこで買い取ってもらうことができるようになっている。したがって、遊技者がパチンコで得た景品を現金と交換できるシステムとなっている。
【０００４】
図１は、現在の景品の交換方式を図式化したもので、パチンコ遊技場Ｈ（以後、「ホール」という。）、特殊景品交換所（換場）Ｅ、及び景品業者Ｍの３業者の間で運営されている。遊技者がホールＨで獲得した玉は、先ず、玉計数機にかけられ、そこで玉を計数する。計数結果はレシートに打ち出され、遊技者Ｐはこれを持ってホールＨの景品交換カウンターで玉数に見合う景品を受け取る。この場合、ホールに置かれている任意の景品を選択することができるが、後で現金と交換することを希望する場合は、特定の景品（特殊景品）と交換してもらう。
【０００５】
遊技者Ｐは、この特殊景品を持って特殊景品交換所Ｅに行き、そこで特殊景品を買い取ってもらい、遊技者Ｐは現金を得る。
【０００６】
特殊景品交換所Ｅは、買い取った特殊景品を景品業者Ｍに売却し、販売代金を受け取る。景品業者Ｍは、買い取った特殊景品をホールＨに卸し、ホールより代金の支払いを受ける。ここで、特殊景品交換所Ｅは、特殊景品を景品業者に売却して一定のマージンを得、景品業者Ｍは、特殊景品交換所Ｅから買い取った特殊景品をホールＨに販売して所定のマージンを得ることにより営業している。なお、ホールＨは、遊技者に対し、パチンコ機を使用した遊技のサービスを提供し、利益を得ている。
【考案の開示】
【考案が解決しようとする課題】
【０００７】
ところで、上記現行の景品の交換方式は、ホールで遊技者が獲得した景品は、特殊景品交換所、景品業者、及びホールの三者を見かけ上循環する形態をとっている。したがって、遊技者は獲得した玉を最終的に換金したいと思っていても、景品を受け取り、その景品の実物を特殊景品交換所に持って行き現金と交換する必要がある。すなわち、景品そのものを希望しない場合であって、景品を手にして持ち運ぶという行為が必要である。同様に、特殊景品交換所と景品業者、景品業者とホールとの間においても景品の移動が必要となっている。したがって、遊技者が換金のためにホールで得た景品が再びホールに移動することとなり、景品は、景品自体の機能を果たすことなく、循環移動するのみであり、移動の過程においては、破損や汚損するといった問題も生じる。また、在庫管理のためのスペースや手間が必要である。
【０００８】
また、景品は遊技者の換金目的のために使用され、三者間を循環するのみであり、基本的には、景品が消耗されることはなく、景品そのものの生産量の拡大に寄与する部分が少なく、遊技業界全体の売り上げ規模に比較して、国民経済の生産や流通への波及効果が大きいとは言い難い。また、遊技者が換金目的で得ることのできる景品が、通常は、ホール毎に特定されており、特殊景品として流通する商品の種類が極めて少ない。したがって、特殊景品の流通過程に一般消費者が関与する機会はなく、閉ざされた流通経路となっているといった問題がある。
【０００９】
本考案は、上記問題点に鑑みなされたもので、パチンコ遊技により得た玉を換金目的で景品と交換する場合に、従来の特殊な景品を移動させることがなく、しかも、一般消費者にも開放された流通経路に景品を流通させることができる景品の交換装置と管理サーバを提供することを目的とするものである。
【課題を解決するための手段】
【００１０】
本考案は、パチンコ遊技場（以下、「ホール」という。）で獲得した玉を景品と交換するに際し、インターネットなどの通信網を介して景品の注文を行い、景品の注文データに基づき景品を換金できるようにすることにより上記課題を解決した。
上記課題は各請求項に記載された手段を採用することにより好適に解決される。
【００１１】
請求項１の考案は、景品に関する情報を格納するデータベースと、通信網を介して景品の注文を受け付け、注文を受けた景品に関する景品注文データを出力し、景品の販売を管理するサーバと、パチンコホールに設置され、通信網を介して前記サーバより提供される景品情報に含まれる景品を注文するための情報入力手段と、該情報入力手段により入力して注文した景品及び注文に関する情報を記録した注文済目録を発行する目録発行手段と注文された景品の品目と個数を記録した注文明細レシートを発行する注文明細レシート発行手段とを備えたホール端末と、からなるパチンコホール景品交換装置である。
【００１２】
本考案の景品交換装置においては、ホールより通信網を介して景品を注文し、注文により発行され、注文した内容を示す情報を記録した注文済目録及び注文明細レシートを景品に対応するものとして扱うことが可能となる。
【００１３】
請求項２の考案は、通信網を介して注文を受け商品を販売する電子商取引サイトと、パチンコホールに設置され、前記電子商取引サイトに通信網を介して接続して前記電子商取引サイトが提供する商品を景品として注文する入力手段と、注文した景品に関する情報を記録した注文済目録カードを発行する注文済目録発行手段と注文された景品の品目と個数を記録した注文明細レシートを発行する注文明細レシート発行手段とを備えたホール端末と、からなるパチンコホール景品交換装置である。
【００１４】
請求項２の考案においては、パチンコホールからの景品の注文をいわゆる電子商取引サイトに直接行うことが可能となり、システム全体の構成を単純化することが可能となり、社会に開かれた健全なシステムとすることができる。
【００１５】
請求項３の考案は、パチンコホールにおいて客が獲得した玉の玉数に見合う注文可能な景品を示す景品注文画面を表示する手段と、上記景品注文画面に示された景品の中から上記客が注文した景品に関する情報を記録した注文済目録を発行する目録発行機とを備えたホール端末と、上記目録発行機により発行された注文済目録に記録されたデータを読取る手段と、上記客が注文した景品の景品注文データを上記ホール端末から受信して、上記客が注文した景品に対応する金額を表示する手段とを備えた換場業者端末、のそれぞれと通信網を介して接続したサーバであって、上記景品注文画面に示される景品に関する情報を格納するデータベースと、上記データベースに格納された景品に関する情報を上記ホール端末に送信する手段と、上記客が注文した景品の景品注文データを上記ホール端末から受信する手段と、上記注文済目録に記録されたデータを上記換場業者端末から受信する手段と、上記ホールの端末から受信した景品注文データと、上記換場業者端末から受信した注文目録に記録されたデータとを照合する手段と、上記ホール端末から受信した景品注文データに対応する景品卸しデータを上記ホール端末に送信する手段と、を有してなることを特徴とするパチンコホールで得た景品の管理サーバである。
【００１６】
請求項４の考案は、パチンコホールにおいて客が獲得した玉の玉数に見合う注文可能な景品を示す景品注文画面を表示する手段と、上記景品注文画面に示された景品の中から上記客が注文した景品に関する情報を記録した注文済目録を発行する目録発行機とを備えたホール端末と、上記目録発行機により発行された注文済目録に記録されたデータを読取る手段と、上記客が注文した景品の景品注文データを上記ホール端末から受信して、上記客が注文した景品に対応する金額を表示する手段とを備えた換場業者端末と、上記客が注文した景品の景品注文データを上記ホール端末から受信して、当該受信した景品注文データに対応する景品卸しデータを当該ホール端末に送信する手段を備えた景品業者端末、のそれぞれと通信網を介して接続したサーバであって、上記景品注文画面に示される景品に関する情報を格納するデータベースと、上記データベースに格納された景品に関する情報を上記ホール端末に送信する手段と、上記客が注文した景品の景品注文データを上記ホール端末から受信する手段と、上記注文済目録に記録されたデータを上記換場業者端末から受信する手段と、上記ホールの端末から受信した景品注文データと、上記換場業者端末から受信した注文目録に記録されたデータとを照合する手段と、上記ホール端末から受信した景品注文データに対応する景品卸しデータを上記景品業者端末に送信する手段と、を有してなることを特徴とするパチンコホールで得た景品の管理サーバである。
【考案の効果】
【００１７】
以上詳述したところから明らかなように、本願考案によれば、現行の「風俗営業等の規制及び業務の適正化等に関する法律」の要件を満たす新しい景品の流通システムを確立することが可能となる。
【００１８】
客がホールで獲得した玉を景品と交換する場合、ホール端末より通信網を介して景品を注文することができるため、豊富な種類の景品を入手することが可能となる。そして注文して得た注文済目録は、それ自体、注文した景品と交換し得るものであるから注文して景品としての価値を有する。したがって、これを従来と同様に、景品を現金と交換する換場業者において換金することができ、しかも、カードであるため、取り扱いが容易である。さらに、ホールや換場業者においても大きな保管スペースを必要せず、在庫管理が容易となる。また、ホールにおいては従来のような特殊景品の在庫を持つ必要がないため、資金繰りが容易となり、ホール経営も安定する。
【００１９】
さらに、注文済目録は、取引きにより移動することがあっても、商品自体は、最終的に客が購入する以外は移動することがなく、景品の流通に伴う商品の破損、汚損といったことが防止できる。景品の注文をショッピングモールサイトを活用することができるため、換金のための景品としての従来のような特殊景品が存在しない。
【００２０】
また、ホールで注文した景品は、受託取引の精算により、一般の市場で取引きされることも可能であり、景品取引きが通常の商取引きに組み込まれるため、景品取引きが社会に開かれた取引き経路とすることが可能となる。
【００２１】
また、ホールより景品をショッピングモールサイトに直接注文するようにして、景品交換システムの全体構成を簡単なものとすることも可能である。
【考案を実施するための最良の形態】
【００２２】
以下、本考案をより詳細に説明するために図面に基づき本考案の実施の形態を説明する。
［実施例］
図２は本考案の第一の実施の形態に係る景品交換システムの構成図を示す。本実施例による景品交換システムは、ホールＨ、換場業者（景品交換業者）Ｅ、景品業者Ｍ、管理会社Ａ、及びショッピングモールＳＭによって構成される。そして、これらはいずれも、広域通信網であるインターネットＮに接続可能なパーソナルコンピュータのような端末あるいはサーバなどの電子情報機器を備え、後に詳述するように互いに景品に関する必要な情報（景品注文データや景品情報コンテンツ）の収集や授受を行えるようにしている。
【００２３】
図３は、本考案の実施例に係るパチンコ景品交換方法及びこれを実施するためのパチンコ景品交換システムを説明する図であり、客が景品を現金に交換する場合の処理フローを示す。なお。図２及び図３においては、ホールＨ、換場業者Ｅ、景品業者Ｍは、それぞれ一つとして示しているが、これらは、特に一つである必要はなく、複数のホール、換場業者、景品業者を対象にすることができるものである。
【００２４】
［客の景品獲得から管理会社の景品買取りまで］
先ず、図３に基づき、景品交換にともなう処理フローの概要を説明する。なお、図中、実線矢印は、人又は物の物理的移動を示し、点線矢印は、インターネットを含む通信手段を介してのデータの移動を示す。
客Ｐは、ホールＨで獲得した玉をホールに備え付けのジェットカウンタにより計数し（Ｓ１）、その計数結果を示すレシートｒを得る（Ｓ２）。そして、次に、そのレシートｒを持ってホールのカウンタに行く（Ｓ３）。カウンタでは、玉数に見合う景品と交換することができるが、景品を現金に交換することを希望する場合、又はインターネットのショッピングモール上の景品を希望する場合は、端末２０を操作して、景品を注文する。ここでは換金を目的とする場合であるため、端末２０の操作によりインターネットのショッピングモール上の景品を注文する（Ｓ４）。なお、端末２０により景品を注文すると、注文明細レシートＲ及び注文済目録ｔが発行され、客はそれらの注文明細レシートＲ及び注文済目録（磁気カード）ｔを持って換場業者Ｅに行く（Ｓ５）。端末２０により注文された景品注文データは換場業者の専用端末（パソコン）３０に送信され（Ｓ６）、同時に景品業者Ｍの端末５０及び管理会社Ａのサーバ４０にも送信される（Ｓ７、Ｓ８）。
【００２５】
なお、注文済目録ｔにはホール名、注文番号（注文Ｎｏ．）、注文日時等が記録される。また、注文明細レシートＲには、注文番号に対応した景品品目、個数、交換した玉数等が印字記録される。ここでは、注文明細レシートＲと注文済目録とを対として注文内容を特定できるようにしている。
【００２６】
また、送信される景品注文データは注文済目録ｔと注文明細レシートＲに含まれるデータと同一のデータを含んでいる。
【００２７】
換場業者Ｅにおいては、客が持参した注文明細レシートＲ及び注文済目録ｔが現金と交換される（Ｓ９）。
【００２８】
以上により、客が獲得した玉は景品と交換され、その景品は換場業者において買い取られたこととなり換金された状態となる。なお、ここで、注文明細レシートＲと注文済目録ｔは注文内容と景品の内容を示すものであり、注文された特定の景品のみと交換できる引き換え券であり、有価証券には該当しないものである。
【００２９】
ここで、換場業者Ｅは、客の持参した注文明細レシートＲと注文済目録ｔを景品として現金と交換することにより、客より景品を買い取った状態となっている。
【００３０】
次に、換場業者Ｅは，買い取った景品を景品業者Ｍに売却する（Ｓ１１）。この場合、景品の売却は注文済目録ｔを譲渡することにより行う。換場業者Ｅは、また、管理会社Ａ及び景品業者Ｍに対して景品注文データを参考情報として送信する（Ｓ１２、Ｓ１２’）。なお、注文明細レシートＲは換場業者Ｅが保管する。
【００３１】
景品業者Ｍは、換場業者Ｅから買い上げた注文済目録ｔを管理会社Ａに対して売却する（Ｓ１３）。これにより、換場業者から買い上げた景品を事実上管理会社Ａに売却したこととなる。また、同時に換場業者Ｅから送られた景品注文データを管理会社Ａに送る（Ｓ１３’）。
【００３２】
以上が、客がホールで交換した景品を換場業者Ｅにおいて現金と交換し、換場業者が景品を景品業者Ｍに売却し、景品業者Ｍはその景品を管理会社Ａに売却するという景品の流れである。
【００３３】
［ホールに対する景品の流れ］
前述のように、客はホールＨにおいて、換金のための景品の注文をホールの端末（パソコン）を通じてショッピングモールにより提供される商品を注文する（Ｓ４）。管理会社Ａのサーバ４０は、ホール端末２０に対し、最新景品情報コンテンツを提供している（Ｓ２０）。
【００３４】
客がホールＨにおいて景品を注文すると、ホールにおいては注文済目録ｔが発行され、その注文済目録が事実上の景品となって、以後流通するが、ホールは注文に見合う景品、すなわち、発行した注文済目録ｔに見合う景品を仕入れる必要がある。したがって、客が端末２０により注文した景品は、管理会社Ａより景品業者Ｍに卸される（Ｓ２１）（景品業者Ｍは管理会社より景品を仕入れる）。ここで、景品の卸し（仕入れ）は、実際の品物としての景品が移動するわけでなく、景品データが送られる。ホールＨで客に渡される注文済目録ｔに対応する景品データが管理会社Ａから景品業者に卸しデータとして送信される。なお、景品業者Ｍの端末５０には景品仕入データとして受信されることとなる。
【００３５】
同様に、景品業者Ｍからは、ホールＨに対して注文された景品に見合う景品データがホールＨの景品仕入データとして送信される（Ｓ２２）。
以上がホールＨが管理会社Ａより景品業者Ｍを通じて行う景品の仕入れの流れである。
【００３６】
［管理会社のショッピングモールサイトよりの景品販売受託］
上述のように、ホールＨにおける客による景品の注文は、端末２０により管理会社Ａから提供される景品情報コンテンツに基づき行われ、管理会社はその注文を受けて景品を景品業者を経由してホールに販売している。ここで扱われる景品はインターネット上で取り引きされるショッピングモールＳＭによって提供される商品であるが、管理会社ＡはショッピングモールＳＭとの間で販売受託契約を結び、ショッピングモールにおいて提供される商品を景品として景品業者Ｍを通じてホールに卸している。
【００３７】
ショッピングモールＳＭは、インターネット上にテナント店舗が扱う製品カタログを掲載し、お客から注文をネットを通じて受け、決済を行う通常のショッピングサイトであればよく、管理会社Ａは、ショッピングモールとの間で販売受託契約を結び、ショッピングモール上の商品の一部について景品とする商品の販売を受託する。ショッピングモールＳＭからは、管理会社Ａに対して、販売を委託する商品の目録（景品情報コンテンツ）を提供する（Ｓ３０）。なお、ここで扱う商品は、生鮮食品、日用雑貨品、花、書籍など特に限定されるものでないが、単価が１万円以下のものとされる。
【００３８】
なお、管理会社ＡとショッピングモールＳＭとの間の販売受託契約においては、管理会社ＡからショッピングモールＳＭに対して商品の精算を可能するようにしてある（Ｓ３１）。ショッピングモールＳＭにおいては、管理会社Ａより精算のあった商品は再び一般顧客に商品として提供される（Ｓ３２）。
【００３９】
以上が本考案の第一の実施例に係る景品交換システムにおける景品の流れである。
【００４０】
［各種システム構成における装置］
次に本実施例の景品交換システムを構成する各業者の装置及びその操作について説明する。
【００４１】
ここで、本システムで使用される各種端末、サーバなどのコンピュータシステムの基本的構成について説明する。コンピュータシステム１００は、例えば、図４に示すような構成となっている。
【００４２】
コンピュータシステム１００は、ＣＰＵ（中央演算処理装置）１１１、メモリユニット１１２、出力ユニット１１３、入力ユニット１１４、表示ユニット１１５、補助記憶装置１１６、ＣＤ―ＲＯＭドライブユニット１１７及び通信ユニット１１８を有し、これらはバスＢに接続されている。
【００４３】
ＣＰＵ１１１は、メモリユニット１１２に格納されたプログラムにしたがって、本システムを制御し、データの送受信の管理や各種データの管理を行う。
【００４４】
メモリユニット１１２は、ＲＡＭ，ＲＯＭなどで構成され、ＣＰＵ１１１で実行されるプログラム、処理に必要なデータ、ＣＰＵ１１１で得られたデータを格納する。出力ユニット１１３は、プリンター等を有し、処理結果を必要に応じて情報を出力する。入力ユニット１１４は、マウス、キーボード等を有し、必要なデータの入力、変更など、情報を入力するのに用いられる。表示ユニット１１５は、ディスプレイ装置であり、ＣＰＵ１１１の制御のもとに管理者に必要な各種情報を出力する。
【００４５】
補助記憶装置１１６は、例えば、ハードディスクユニットで構成され、各種ファイル、データベース、及びプログラムを格納する。また、ＣＤ―ＲＯＭドライバ１１７は各種アプリケーションプログラムを格納したＣＤ−ＲＯＭから必要なプログラムを読み出し、補助記憶装置１１６にインストールされる。そして、そのプログラムにしたがって、ＣＰＵ１１１に必要なプログラムを実行させる。
【００４６】
通信ユニット１１８は通信回線に接続され、他のコンピュータシステムとの情報の送受信を行うものである。
【００４７】
なお、以上のコンピュータシステム１００は，本景品交換システムで使用されるホール端末２０、換場業者Ｅにおける専用端末３０、景品業者Ｍの端末５０、管理会社Ａの管理サーバ４０についても同様の機能を有し、これらの基本的構成の説明となり得るものである。
【００４８】
［ホールの装置及び操作］
図５はホールＨのレジ周りに配置される装置構成を示す。
【００４９】
ホールＨのレジカウンタにはホール端末２０が設置されている。なお、ホール端末２０はインターネットに接続可能な通常のパーソナルコンピュータ、即ち、入出力装置、表示装置、演算処理装置からなる情報処理装置、記憶装置、通信機能を備えたコンピュータであれば使用可能である。
【００５０】
ホールカウンタには、ホール端末２０の他に、ＰＯＳレジ２１が配置され、ホール端末２０にデータを送信できるように接続されている。ＰＯＳレジ２１は、ジェットカウンタ１１（図３参照）が打ち出した玉数の計数データを示すレシートｒをもとに玉数を客が交換する景品データとともに入力し記録するものである。なお、ジェットカウンタ１１はホールの適所に設置され、客がこれを使用して獲得した玉の数を計数するものであり、計数結果は玉数を記録したレシートｒで出力される。
【００５１】
ここでＰＯＳレジ２１は、更に、操作部に、客がインターネット上の景品以外の景品を望むとき、あるいは、換金可能な景品と交換を望むときに操作する交換ボタン（図示せず）を備えている。そして、レシートｒの玉数を入力するとともに、この交換ボタンが操作されると、ホール端末２０に玉数のデータが送信されるようにしている。
【００５２】
ホール端末２０はインターネットＮに接続され、管理会社ＡがショッピングモールＳＭから販売委託を受けてインターネット上で提供する景品サイトＡＳに接続可能とされている。ホール端末２０の表示部２０ａには、景品サイトＡＳから提供される景品注文画面が表示され、景品とし扱われる商品目録と、希望する商品を選択する選択ボタン、景品の換金又は購買の選択ボタン、などの操作画面が表示され、操作画面にしたがって必要事項を入力することにより、希望商品を景品として注文することができる。なお、ホール端末２０は入力部２０ｂを有し、この入力部ｂは、タッチパネル式、キーボードあるいはマウス等種々のものが採用できる。
【００５３】
また、ホール端末２０にはレシートプリンタ２２及び目録発行機２３が接続されている。ホール端末２０により景品の注文がなされると、レシートプリンタ２２に、玉数、景品の品目、個数などの注文の明細レシートＲが打ち出される。また、目録発行機２３からは、ホール名、注文番号、注文日時などのデータが磁気カードに記録された注文済目録ｔが発行される。
【００５４】
［ホールにおける操作］
次に、ホールで客が景品を交換する手順と客及び店員が行う操作について説明する。
【００５５】
客（遊技者）は、獲得した玉をジェットカウンタ１１により計数し、その結果を打ち出したレシートｒをもってホールのカウンタに行き、玉数に見合う景品を注文する。カウンタの店員は、客が渡すレシートｒの玉データをＰＯＳレジ２１に入力し、客の希望する景品を確認する。客の景品がホールにある景品であれば、その場で玉数に見合う景品を手渡す。また、換金を希望する場合、あるいは、インターネット上の景品をホール端末２０を通じて注文する場合、レシートの玉数をＰＯＳレジ２１に入力すると共に、交換ボタン（図示せず）を押す。
【００５６】
ＰＯＳレジ２１の交換ボタンが押されると、ホール端末２０の表示部２０ａには、景品注文画面が表示され、客が端末２０を画面に従い景品を注文する。
【００５７】
景品注文画面は、ＰＯＳレジ２１に入力された玉数に見合う注文可能な景品を示す景品情報が表示される。客は希望する景品を指定して注文ボタンをクリックすることにより景品の注文が実行されたこととなる。景品の注文が完了すると、レシートプリンタ２２より注文の明細を示す注文明細レシートＲがプリントアウトされ、同時に目録発行機２３より注文済目録（磁気カード）ｔが発行される。
客はこの注文済目録ｔ及び注文明細レシートＲをもって、換場業者Ｅに行くこととなる。
【００５８】
［換場業者Ｅの装置及び操作］
図６は換場業者Ｅが備える装置および換場業者Ｅにおける操作を説明する図である。換場業者Ｅは、前述のように専用端末３０と、これに接続される目録読取り機３１を備えている。目録読取り機３１は、ホールで発行した注文済目録ｔのデータを読み取る機能を有し、注文済目録ｔのデータを読み取ると専用端末３０に出力する。専用端末３０の表示部３０ａには、景品買取りの確認画面が表示され、ホールより送られた玉数、景品品目、個数などの景品注文データの内容が表示されるとともに、景品に対応する金額が表示されるようにしてある。専用端末３０の入力操作部３０ｂを通じて画面に従い買取り確認の操作を行うと、ホールＨより送られた景品注文データの照合が行われ、ホールＨで発行した注文済目録であることが確認される。そして、注文明細レシートＲと注文済目録との照合結果が確認されると、換場業者Ｅは注文済目録ｔ注文明細レシートＲを買い取り、客に現金を渡す。これにより、客はホールで獲得した景品を現金で交換したこととなる。
【００５９】
専用端末３０の表示部３０ａに示さる表示内容は、注文済目録ｔの買取り確認画面を示し、「景品の買取り、よろしいか」の表示に対し、「はい」をクリックすると、交換金額が表示される。
【００６０】
なお、換場業者Ｅは、客が持参した注文明細レシートＲを受け取り保管する。
【００６１】
換場業者Ｅは、買い取った注文済目録の景品データを管理会社Ａと景品業者Ｍに送信する。
【００６２】
次に、換場業者Ｅは、買い取った注文済目録ｔを景品業者Ｍに売却する（Ｓ１１）。これにより、換場業者Ｅは、注文済目録ｔ及び注文明細レシートＲを買い上げ、景品業者Ｍに売却する商取り引きが成立したこととなる。
【００６３】
［景品業者Ｍの装置および操作］
景品業者Ｍは専用端末５０を備えており、この専用端末５０はインターネットと接続機能を有する通常のパソコンの機能を有するものであればよい。図３に基づいて説明したように、ホールＨにおいて、ホール端末２０を用いて景品の注文がなされると、注文した景品に関するデータである景品注文データが景品業者Ｍの端末５０に送信されるようになっている。したがって、景品業者は、ホールＨにおいて景品が注文され、注文された景品の品目、数量を示すデータである景品注文データを保持することができる。
また、景品業者Ｍは換場業者Ｅより景品、即ち注文済目録ｔを買い取ることとなるが、そのデータとホールＨより送信された景品注文データ及び景品業者がホールＨに対して景品として卸した景品データとの照合を行うことにより、注文済目録の信頼性を確認することができる。
【００６４】
景品業者Ｍは、前述のように、ホールＨから注文された景品注文データに見合う景品を管理会社Ａより仕入れ、またそれをホールＨに卸すことになるが、これらの景品の仕入、卸しは、景品注文データに対応する景品仕入れデータ、景品卸しデータとして端末５０に記憶されて管理される。
【００６５】
［管理会社の装置及び業務処理］
管理会社Ａの業務は、基本的には景品の流れ全体を管理することにある。そして、これらは、後述するようにインターネットに接続される管理サーバ４０により実行される。
【００６６】
図３に基づき説明したように、ホールＨより景品注文データを受けると（Ｓ８）、注文された景品品目を景品業者Ｍを介してホールＨにデータとして送信する。
【００６７】
また、換場業者Ｅから送信される景品注文データの整合性をホールＨから送られた景品注文データと照合し、データの整合性を確認する。
【００６８】
また、景品業者Ｍが換場業者Ｅより買い上げた景品、即ち注文済目録ｔを買い上げ、注文済目録ｔを保管管理する。なお、ホールＨで発行される注文済目録ｔの磁気カードの製造、配布の管理も管理会社Ａが行う。
【００６９】
そして、さらに、管理会社Ａは、ショッピングモールサイトと商品の販売受託契約を結び、受託景品管理を行う。
【００７０】
［管理サーバ４０の構成及び機能］
ここで管理会社Ａの管理サーバ４０のシステム構成について図７に基づき説明する。管理サーバ４０は、本景品交換システムにおける景品の取引き全体を管理するためのコンピュータシステムであり、基本的には図４で説明したコンピュータシステムと同様な機能を有するコンピュータシステムであり、演算処理部４１、入出力部４２、通信制御部４３、表示部４４等を有し、商品ＤＢ４５１，顧客ＤＢ４５２，
取引きＤＢ４５３ など景品取引きに必要な各種データを記憶する記憶部４５を備えている。そして、演算処理部４１は、予め格納されたプログラムにしたがって、本システムを制御し、ホールＨからの景品の注文に伴う各種景品の取引きに関するデータの送信受信の管理や各種データの管理を行う。そして、通信制御部４３を介して、インターネット上のショッピングモールサイトＳＭから商品情報を受けるとともに、ホールＨに対し景品となる商品情報を提供する。また、ショッピングモールサイトＳＭからの景品販売の受託管理を行う。また、ホールＨ、換場業者Ｅ，景品業者Ｍ
、から送信される景品注文データを常に管理し、取引きデータの整合性をチェックできるようにしている。
【００７１】
図８は、商品に関する情報としての商品ＤＢの内容の一例を示す。商品ＤＢとしては、日付け、テナント店舗名、ショッピングモールサイト名、商品コード、商品区分コード（ジャンル）、商品名、定価，値引き、販売価格などが含まれる。
【００７２】
［注文済目録（磁気カード）の流れ］
次に、ホールＨで発行される注文済目録ｔの流れについて説明する。注文済目録ｔは、磁気カードが使用され、景品に関する必要情報がホールの目録発行機により発行される。この注文済目録となる生の磁気カード（以後、生カードＣという。）は、管理会社Ａの管理のもとに供給される。
【００７３】
図９は、生カードＣ及び注文済目録ｔの流れを説明する図である。先ず、ホールＨにより、管理会社Ａに対して生カードの発注がなされる（Ｓ５０）。管理会社Ａはホールからの要求を受けてカード製造会社Ｆに対し、生カードＣの発注を行う（Ｓ５１）。カード製造会社Ｆは発注を受けて生カードを製造し、生カードＣをホールに納品する（Ｓ５２）。
【００７４】
ホールＨにおいては、既に説明したように、ホール端末による景品の注文がなされると、生カードＣに景品に関する情報が記録された注文済目録ｔが目録発行機により発行され、客Ｐの手に注文明細レシートＲとともに渡る（Ｓ５３）。客Ｐは換場業者Ｅに注文済目録ｔをもって行き、ここで、注文済目録ｔは現金と交換される（Ｓ５４）。なお、注文明細レシートＲも同時に換場業者Ｅに渡り、換場業者Ｅにおいて保管される。次に、注文済目録ｔは景品業者Ｍにより買い上げられ（Ｓ５５）、次いで、景品業者Ｍより管理会社Ａによって買い取られる（Ｓ５６）。
【００７５】
［景品の発注に伴う債権債務の関係］
次に、ホールＨからの景品の発注に伴い発行される景品となるべき注文済目録の取引きに伴って発生する債権、債務について、図１０を参照して説明する。
【００７６】
先ず、景品は景品業者ＭによってホールＨに対して販売されることにより、ホールＨは景品業者に対し、景品代の債務を負う。また、換場業者Ｅは景品業者Ｍに景品を販売するため、景品業者に対して債権を持つ。
【００７７】
景品業者Ｍは、ホールに対して景品販売による債権を持ち、換場業者Ｅに対して景品買取りに対する債務を持つ。
【００７８】
管理会社Ａは、景品業者ＭのホールＨに対する債権と、換場業者Ｅの景品業者Ｍに対する債権を買い取る。本来、景品販売取引きにおけるホールの債権者は景品業者Ｍであり、景品業者Ｍの債権者は換場業者Ｅであるが、管理会社による上記債権の買取りにより、ホールＨは管理会社Ａに支払い、管理会社Ａは景品業者Ｍ及び換場業者Ｅに支払の義務が発生することとなる。このように、管理会社Ａによる債権買取り（ファクタリング）により、景品取引きの資金の流れをクリーンに保つことができる。
【００７９】
［資金（景品代）の流れ］
本実施形態の景品の取引きに伴う資金の流れについて図１１を参照して説明する。
先ず、客ＰはホールＨが提供する遊技サービスに対してホールＨに現金の支払がなされる。換場業者Ｅは客Ｐに対し、景品（注文済目録ｔ、注文明細レシートＲ）を現金と交換して支払う。管理会社Ａは、換場業者Ｅに対し、景品代金を支払う。これは、前述のように、ファクタリングにより、換場業者Ｅの景品業者Ｍへの債権を管理会社が買い取ったためである。
【００８０】
また、管理会社Ａは、景品業者Ｍに対し、ファクタリングにより、換場業者Ｅへの債務とホールＨへの債権との差額を支払う。
【００８１】
また、ホールＨは景品支払い代金として管理会社Ａに支払う。これは、前述のとおり、ファクタリングにより、景品業者ＭのホールＨへの債権を管理会社が買い取ったことによるものである。
【００８２】
また、管理会社ＡとショッピングモールサイトＳＭ各社との関係は、管理会社Ａは、ショッピングモールサイトＳＭ各社に対し、景品情報コンテンツ料と、景品購入代金の支払いを行う。
【００８３】
以上、本考案の第１の実施例として図３に示された景品交換システムの景品取引き、システムの構成要素について説明した。ここで、再び、図３に戻り説明する。図３は、これまで説明してきたように、客がホールで玉と交換した景品を換場業者で換金する場合の取引きと景品の流れを説明するものである。ところで、客が注文した景品の換金を希望しない場合、即ち、注文した景品を受け取ることを希望する場合も想定される。この場合、ホールＨで景品をホール端末２０を介して注文する場合に景品を購入する旨のデータを管理会社に送信することとなる。そして、この場合、例えば、自宅への配送、あるいはホールＨでの受け取り等、受け取り場所も併せて送信する。この場合、管理会社Ａは、その旨をショッピングモールサイトＳＭに伝達し、商品を客に届ける（図３、Ｓ２００）。
【００８４】
管理会社Ａにおいては、ホールＨより受信した景品注文データと換場業者及び景品業者から送られてくる景品注文データ、即ち、客が換金したデータとを照合し、毎日チェックすることにより、換金されたものと、実際に商品が購入されたものとを確認することができる。
【００８５】
以上のように、本考案の第１の実施の形態による景品交換システムによれば、客がホールで獲得した玉を景品と交換する場合、ホール端末より通信網を介して景品を注文することができるため、豊富な種類の景品を入手することが可能となる。そして注文して得た注文済目録カードは、それ自体、注文した景品と交換し得るものであるから注文して景品としての価値を有する。したがって、これを従来と同様に、景品を現金と交換する換場業者において換金することができ、しかも、カードであるため、取り扱いが容易である。さらに、ホールや換場業者においても大きな保管スペースを必要せず、景品の在庫管理が容易となる。
【００８６】
さらに、注文済目録は、取引きにより移動することがあっても、商品自体は、最終的に客が購入する以外は移動することがなく、景品の流通に伴う商品の破損、汚損といったことが防止できる。また、ホールで注文した景品は、受託取引の精算により、一般の市場で取引きされることも可能であり、景品取引きが通常の商取引きに組み込まれるため、景品取引きが社会に開かれた取引き経路とすることが可能となる。
【００８７】
（第２の実施形態）
次に図１２に基づき本考案の第２の実施の形態について説明する。
【００８８】
本実施形態においては、図３に示した第１の実施形態において、景品業者Ｍを介さないで景品の取引きを行うものである。即ち、本実施形態では、ホールＨ、換場業者Ｅ、管理会社Ａ及びショッピングモールサイトＳＭ間で景品の取引きを行うものである。
【００８９】
なお、本実施形態において、図３に示したシステムの構成及び取引きの流れで共通の部分は同一の符号を付し、説明の便宜上説明を省略する。本実施形態では換場業者Ｅが客から買い取った注文済目録ｔを管理会社Ａに送付し、管理会社Ａに景品を売却する（Ｓ１０１）。また、ホールＨは景品を管理会社Ａから直接に景品を仕入れる（Ｓ１０２）。即ち、景品注文データが管理会社Ａに送信されると（Ｓ８）、それに対応する景品が景品仕入れデータとしてホールＨに送信される。
【００９０】
その他、管理会社ＡとショッピングモールサイトＳＭとの関係は図３の第１の実施の形態と同様である。
【００９１】
図１３は第２の実施形態における磁気カード及び注文済目録の流れの説明図であり、第１の実施形態における図９で説明した磁気カード及び注文済目録の流れに対応するものである。本実施形態においては、換場業者Ｅより注文済目録ｔが直接に管理会社Ａに送付される（Ｓ５７）。即ち、客から買い上げた注文済目録は管理会社Ａに売却することとなる。他は、第１の実施形態と同じである。
【００９２】
図１４は第２の実施の形態に伴う資金の流れを説明するもので、第１の実施形態の図１１に対応するもである。客はホールにて料金を支払い（貸し玉代）、サービスを受ける。また、獲得した景品（注文済目録）を換場業者で換金する。換場業者Ｅは客の注文済目録を現金と交換する。また、客より買い上げた景品を管理会社Ａに売却し、代金の支払いを受ける。また、ホールＨは、管理会社Ａに対し、景品の仕入れ代を支払う。管理会社ＡとショッピングモールサイトＳＭとの関係は図１１と同様である。
（第３の実施形態）
次に、図１５に基づき本考案の第３の実施の形態について説明する。
【００９３】
本実施形態においては、図３に示した第１の実施形態において、景品業者Ｍ、及び管理会社Ａを介さないで景品の注文を直接ショッピングモールサイトに行うようにして景品の取引を行うものである。即ち、本実施形態では、ホールＨ、換場業者Ｅ、ショッピングモールサイトＳＭ間で景品の取引きを行うものである。
【００９４】
したがって、図３において説明したシステム中、同一の部分は説明の便宜上、説明を省略する。客ＰがホールＨにおいて景品を注文し、換場業者Ｅで換金する場合の手順、即ち、図３のステップＳ１〜Ｓ６、Ｓ９は同じである。本実施形態では、景品注文データは直接にインターネットを介してインターネット上に開設されているショッピングモールサイトＳＭに送信される（Ｓ１１０）。そして、ホール端末２０には景品情報コンテンツが送信され（Ｓ１１１）、また、景品の注文を受けたとき、ショッピングモールサイトＳＭよりホールＨに景品仕入データが送信される（Ｓ１１２）。
また、換場業者Ｅからは客が換金した注文済目録ｔに関し、景品注文データをショッピングモールＳＭに送信（Ｓ１１４）する。
【００９５】
なお、ショッピングモールサイトＳＭが換場業者Ｅより買い上げた景品データに相当する景品は一般エンドユーザに販売可能な状態とされることは図３における第１の実施形態と同様である（Ｓ３２）。
【００９６】
図１６は、景品取引きに伴う磁気カードと注文済目録の流れを示す図である。
【００９７】
ホールＨからの発注に基づき、カード製造会社Ｆは生カードをホールＨに納入する。ホールＨはこの生カードに客が注文した注文内容を示すデータを記録した注文済目録ｔを与え、客はこの注文済目録ｔを換場業者Ｅで換金し、注文済目録ｔは換場業者において保存される。
【００９８】
図１７は本実施形態における、景品取引に伴う資金の流れを示す図である。
【００９９】
客ＰはホールＨで遊技の貸し玉代を支払って遊技のサービスを受ける。そして獲得した景品である注文済目録を換場業者Ｅにて換金し現金を得る。換場業者Ｅは景品をシッピングモールサイトＳＭに売却し、景品代の支払を受ける。ホールＨはショッピングモールサイトより景品を仕入れ、その景品の仕入代をショッピングモールサイトに支払う。
【０１００】
以上本考案の好ましい実施例について詳述したが、本考案は係る特定の実施形態に限定されるものではなく、実用新案登録請求の範囲に記載された本考案の要旨の範囲内において、種々の変形・変更が可能である。
【０１０１】
上記の各実施例においては、ホールにおいて端末によりインターネット等の通信網を通じて景品の注文内容は、注文済目録と注文明細レシートにより記録され、換場業者において、注文済目録と注文明細レシートとの対を現金と交換するようにしているが、必ずしもこの形態にすることなく、磁気カードに注文内容、景品の品目、個数等、注文及び景品に関するデータを全て記録した注文済目録とすることも可能である。
【図面の簡単な説明】
【０１０２】
【図１】従来のパチンコ遊技場景品交換方式を説明する図である。
【図２】本考案による景品交換システムの構成図である。
【図３】本考案の第１の実施形態の景品交換システムにおける景品の流れを説明する図である。
【図４】コンピュータシステムの基本構成を説明する図である。
【図５】ホールのレジ周りの装置構成を説明する図である。
【図６】換場業者における装置及び処理の流れを説明する図である。
【図７】管理会社の管理サーバのシステム構成図である。
【図８】商品データベースの内容の例を示す図である。
【図９】第１の実施形態の磁気カード及び注文済目録の流れを説明する図である。
【図１０】第１の実施例における景品の取引きに伴って発生する債権、債務について説明する図である。
【図１１】景品取引きに伴う資金の流れを説明する図である。
【図１２】第２の実施形態における景品交換システムを説明する図である。
【図１３】第２の実施形態における磁気カード及び注文済目録の流れを説明する図である。
【図１４】第２の実施形態における景品取引きに伴う資金の流れを説明する図である。
【図１５】第３の実施形態における景品交換システムを説明する図である。
【図１６】第３の実施形態における磁気カード及び注文済目録の流れを説明する図である。
【図１７】第３の実施形態における景品取引きに伴う資金の流れを説明する図である。
【符号の説明】
【０１０３】
Ｈ  ホール
Ｅ  換場業者
Ｍ  景品業者
Ａ  管理会社
ＳＭ  ショッピングモールサイト
２０  ホール端末
２１  ＰＯＳレジ
２２  レシートプリンタ
２３  目録発行機
３０  換場業者端末
３１  目録読取り機
４０  管理会社サーバ
５０  景品業者端末
【図１】
0003103383.tif 000003
【図２】
0003103383.tif 000004
【図３】
0003103383.tif 000005
【図４】
0003103383.tif 000006
【図５】
0003103383.tif 000007
【図６】
0003103383.tif 000008
【図７】
0003103383.tif 000009
【図８】
0003103383.tif 000010
【図９】
0003103383.tif 000011
【図１０】
0003103383.tif 000012
【図１１】
0003103383.tif 000013
【図１２】
0003103383.tif 000014
【図１３】
0003103383.tif 000015
【図１４】
0003103383.tif 000016
【図１５】
0003103383.tif 000017
【図１６】
0003103383.tif 000018
【図１７】
0003103383.tif 000019